(57)【要約】      （修正有）【課題】法規制により届出が必要な製品の用途別の安全性評価についての届出状況を管理し、届出を優先すべき用途の組合せの決定を支援する。【解決手段】化学物質管理システムは、用途別に優先度を設定し、複数の用途の組合せごとに、製品の用途の各々に設定された優先度を乗算し、乗算した結果の高い順に用途の組合せを表示する。【選択図】図４−１
2010061327.tif 000002
【特許請求の範囲】
【請求項１】
化学物質が含まれる製品についての安全評価に関する届出状況を管理する化学物質管理システムにおいて、
前記化学物質管理システムは、
複数の用途の各々についての優先度の設定値の入力を受け付け、
前記複数の用途の組合せごとに、受け付けた前記優先度の設定値を乗算し、
乗算した前記優先度の設定値の高い順に、前記用途の組合せを表示することを特徴とする化学物質管理システム。
【発明の詳細な説明】
【技術分野】
【０００１】
本発明は、製品に含まれる化学物質の安全性評価の取得状況を管理する技術に関する。その中でも特に、法規制によって届出が義務付けられている安全性評価の取得計画の策定を支援する技術に関する。
【背景技術】
【０００２】
従来、法規制によって規制される化学物質を含む製品を管理する技術として、特許文献１に開示される技術が提案されている。特許文献１においては、製品の部品及び原材料に含まれる化学物質について記載したデータである化学物質データを取得し、取得した化学物質データに基づいて、製品中に禁止物質が含有されていることを検出し、禁止物質が含有されていることが検出された場合に、当該禁止物質を含有する製品が当該禁止物質の規制国に販売されるか否かを判定し、販売されると判定された場合に、その旨を含む緊急通報を、当該製品の禁止物質についての管理を担当する該当部門に対して行う技術が開示されている。
【０００３】
【特許文献１】特開２００５−７８４６０
【発明の開示】
【発明が解決しようとする課題】
【０００４】
しかしながら、特許文献１においては、法規制の対象となる化学物質を含む製品を特定することしか考慮されていない。つまり、輸出対象である製品に含まれる化学物質の安全性評価と届出の状況を管理することは考慮されていない。
【０００５】
一部の国における法令では、化学物質を輸出する企業に対して輸出対象である化学物質の安全性評価と届出の実施が義務づけられている。この評価と届出は事業者毎に実施することが義務付けられており、また化学物質を含有する製品を欧州に輸出する事業者と含有化学物質に対しても実施が義務づけられている。この届出を認可された事業者毎の化学物質のみが認証機関に登録される。また特定の有害物質は原則として使用禁止とされており、輸出を制限される。
【０００６】
この届出における情報の一つに化学物質の用途があり、業界「Industry Category」、含有先の製品「Type of article」、その製品の種類「Use Category」の３つに分類され、それぞれ選択肢が用意されている。届出においてはこの３分類の組合せ毎に安全性評価と届出情報への記載を行う必要がある。一方でこれら３分類の組合せは相当数に上り、それら全ての組合せ用途に対して安全性評価と届出を実施することは困難であるため、優先度の高い組合せを決定する必要がある。
【課題を解決するための手段】
【０００７】
そこで、本発明では、用途別に優先度を設定し、用途の組合せごとにその優先度を乗算する。乗算した結果が高い組合せ順に表示することで、届出を実施すべき優先度の高い用途の組合せの決定を支援する。
【発明の効果】
【０００８】
本発明によれば、届出対象となる用途組合せ情報に対して届出の優先度の決定を支援することが可能になる。
【発明を実施するための最良の形態】
【０００９】
以下、図面に基づき本発明における実施の形態を説明する。
【００１０】
なお本実施例における化学物質管理システムとは、製品の配合、材料組成情報をリンクさせ、製品、原材料、物質の階層構造にてデータ管理し、登録された製品、原材料に対して法令規制チェックを可能にする等の化学物質管理業務処理を実行するシステムを指す。また、輸出対象である製品に含まれる化学物質の安全性評価と届出の状況を管理する届出管理業務処理も本システムにて実行される。
【００１１】
図１は本実施例における背景環境を示す概念図である。
【００１２】
原材料メーカ（１０６、１１０、１１４）は自社製品をＥＵに輸出する場合、もしくは自社製品が他社製品に含有・使用された状態でＥＵに輸出される場合、その対象物質の各種情報（１００、１０２、１０４）をＥＵに届出て、登録番号（１０１、１０３、１０５）を得ておく必要がある。届出情報（１００、１０２、１０４）はＥＵにおいてＲＥＡＣＨ−ＩＴデータベース（１２０）に保管され、ＥＵ企業（１１８）がそれを閲覧できる（１１９）。事業者Ｃ（１１４）が製品（１１７）をＥＵに輸出する場合（１１６）、事業者Ｂ（１１０）等の納入（１１２）元企業から当該製品（１１７）の含有物質（１１３）についてＲＥＡＣＨ−ＩＴに登録済みの用途情報（１１１）の報告を受け、これをもとに納品先のＥＵ企業（１１８）に当該製品（１１７）の用途情報（１１５）を報告する必要がある。同様に事業者Ｂ（１１０）は納入（１０８）元企業から製品（１１３）の含有物質（１０９）についてＲＥＡＣＨ−ＩＴに登録済みの用途情報（１０７）の報告を受け、これをもとに納品先の事業者Ｃ（１１４）に当該製品（１１３）の用途情報（１１１）を報告する必要がある。
【００１３】
図２は本実施例における学物質管理システムのネットワーク構成図である。
化学物質管理システム（１６４）はネットワーク（１６１）に接続され、その利用者（１５１、１５２、１５４、１５５、１５７、１５８）、データ管理者（１５９）、システム管理者（１６０）は各拠点（１５０、１５３、１５６）からネットワークに接続された端末にて、システム管理者（１６０）が発行したＩＤとパスワードを利用してログインすることで当該システムにアクセスするといった、ネットワークを利用した形態での使用が可能である。
【００１４】
図３は本実施例における化学物質管理システムのシステム構成図である。
化学物質管理システムは、ネットワークで接続されている端末から化学物質データベース（１８７）にアクセスできる。化学物質データベースには、製品、原材料、化学物質の情報を保持することができ、化学物質管理システム（１８５）により階層構造で管理することができる。また、ＭＳＤＳ（Material Safety Data Sheet）作成支援システム（１８６）により、それらの情報を用いてＭＳＤＳを作成することができる。利用者（１８０）は化学物質管理システム（１８５）の検索機能と帳票出力機能を利用することができ（１８３）、取引顧客（１７０）に対して各種帳票（１７４）を発行することができる（１７３）。データ管理者（１８２）は取引先原材料メーカ（１７１）から入手（１７５）した原材料情報（１７６）もしくは事業部門（１７２）から入手（１７７）した製品情報（１７９）をもとに化学物質管理システム（１８５）に対して各種情報（１８１）を登録することができる（１８４）。また事業部門から得られる製品情報（１７９）はシステム連携（１７８）によっても化学物質管理システム（１８５）に登録することができる。
【００１５】
図４−１は本実施例における化学物質管理システムの「届出状況管理画面」の画面イメージ図である。
当該画面は任意の製品１件に対してＲＥＡＣＨ−ＩＴ届出状況を表示する画面である。当該画面は表示対象の製品についてＩＤと名称を表示する欄（２０１、２０２）、用途の組合せ毎に届出状況を表示する欄（２２７）から構成されている。当該画面は後述の「製品選択画面」（２７０）で選択された製品を表示対象として表示するが、他の業務画面にて特定された製品を表示対象として表示してもよい。
【００１６】
「検索」ボタン（２２５）が押下された場合は「製品ＩＤ」欄（２０１）に入力された文字列と「製品名称」欄（２０２）に入力された文字列をＡＮＤ条件で部分一致検索し、その結果を「製品選択画面」（２７０）の製品ＩＤ列（２７４）及び製品名称列（２７５）に表示する。
【００１７】
「Industry Category」列（２１２）、「Type of article」列（２１４）、「Use Category」列（２１６）は後述の「Industry Categoryマスタ設定画面」（２４０）の「Type of article名称」列（２４４、２４５）、「Type of articleマスタ設定画面」（２４８）の「Type of article名称」列（２５２、２５３）、「Use Categoryマスタ設定画面」（２５６）の「Use Category名称」列（２６０、２６１）で設定された値を表示する。
【００１８】
「優先度」列（２１３、２１５、２１７）は各設定画面（２４０，２４８，１５６）の「優先度」列（２４６，２５４、２６２）の登録内容を表示する。「要望顧客」（２１８）は該当行の「Industry Category」、「Type of article」、「Use Category」の用途組合せを要望する顧客を表示する。当該内容は編集可能とし、「顧客要望用途」テーブル（３４０）の内容を表示する。「優先度」列（２２０）は「要望顧客」列（２１８）に顧客が登録されている場合は文字列“必須”を表示し、顧客が登録されていない場合は「優先度」列（２１３、２１５、２１７）の値の積算結果を表示する。
【００１９】
「届出完了」列（２２２）は該当行の「Industry Category」列（２１２）、「Type of article」列（２１４）、「Use Category」列（２１６）の用途組合せの届出状況を表示する。例ではレ点により表現しているが、複数の記号または数値で複数のステータスを表現してもよい。当該内容は編集可能とし、「届出完了用途」テーブル（３５０）の内容を表示する。
【００２０】
図４−２は本実施例における化学物質管理システムの「製品選択画面」の画面イメージを示している。
当該画面は「届出状況管理画面」（２００）の「検索」ボタン（２２５）押下により表示される画面である。「製品ＩＤ」欄（２７１）は「届出状況管理画面」（２００）の「製品ＩＤ」欄（２０１）の内容を表示する。「製品名称」欄（２７２）欄は「届出状況管理画面」（２００）の「製品名称」欄（２０２）を表示する。「製品ＩＤ」列（２７４）及び「製品名称」列（２７５）は、「図４−１」の説明にある通り「届出状況管理画面」（２００）の「製品ＩＤ」欄（２０１）に入力された文字列と「製品名称」欄（２０２）に入力された文字列をＡＮＤ条件で部分一致検索した結果を表示する。「検索」ボタン（２７３）が押下された場合は「製品ＩＤ」欄（２７１）に入力された文字列と「製品ＩＤ」欄（２０１）に入力された文字列をＡＮＤ条件で部分一致検索し、その結果を「製品ＩＤ」列（２７４）及び「製品名称」列（２７５）に表示する。「選択」ボタン（２７６）が押下された場合は選択された行の「製品ＩＤ」列（２７４）及び「製品名称」列（２７５）の値を取得し、「届出状況管理画面」（２００）に表示する内容の検索処理にその取得値を渡す。
【００２１】
図４−３は本実施例における化学物質管理システムの「Industry Categoryマスタ設定画面」の画面イメージを示している。
当該画面は「Industry Categoryマスタテーブル」（３００）の内容を表示、編集する画面である。「ＩＤ」列（２４２）は当該テーブル（３００）の「ＩＤ」列（３０１）に対応する。「Industry Category名称」列（２４３）の左列（２４４）は当該テーブル（３００）の「分類１」列（３０２）に対応し、右列（２４５）は当該テーブル（３００）の「分類２」列（３０３）に対応する。「優先度」（２４６）は当該テーブル（３００）の「優先度」列（３０４）に対応する。「決定」ボタン（２４７）が押下された場合は表示内容の全件を当該テーブル（３００）に上書き登録する。
【００２２】
図４−４は本実施例における化学物質管理システムの「Type of articleマスタ設定画面」の画面イメージを示している。
当該画面は「Type of articleマスタテーブル」（３１０）の内容を表示、編集する画面である。「ＩＤ」列（２５０）は当該テーブル（３１０）の「ＩＤ」列（３１１）に対応する。「Type of article名称」列（２５１）の左列（２５２）は当該テーブル（３１０）の「分類１」列（３１２）に対応し、右列（２５３）は当該テーブル（３１０）の「分類２」列（３１３）に対応する。「優先度」（２５４）は当該テーブル（３１０）の「優先度」列（３１４）に対応する。「決定」ボタン（２５５）が押下された場合は表示内容の全件を当該テーブル（３１０）に上書き登録する。
【００２３】
図４−５は本実施例における化学物質管理システムの「Use Categoryマスタ設定画面」の画面イメージを示している。
当該画面は「Use Categoryマスタテーブル」（３２０）の内容を表示、編集する画面である。「ＩＤ」列（２５８）は当該テーブル（３２０）の「ＩＤ」列（３２１）に対応する。「Use Category名称」列（２５９）の左列（２６０）は当該テーブル（３２０）の「分類１」列（３２２）に対応し、右列（２６１）は当該テーブル（３２０）の「分類２」列（３２３）に対応する。「優先度」（２６２）は当該テーブル（３２０）の「優先度」列（３２４）に対応する。「決定」ボタン（２６３）が押下された場合は表示内容の全件を当該テーブル（３２０）に上書き登録する。
【００２４】
図５―１から図５−３は本実施例における化学物質管理システムのデータベーステーブルを示している。
「TBL001 - Industry Categoryマスタテーブル」（３００）は用途情報「Industry Category」とその「優先度」を保持する。
「TBL002 - Type of articleマスタテーブル」（３１０）は用途情報「Type of article」とその「優先度」を保持する。
「TBL003 - Use Categoryマスタテーブル」（３２０）は用途情報「Use Category」とその「優先度」を保持する。
【００２５】
「TBL101 - 顧客」テーブル（３３０）は顧客のＩＤと名称を保持する。
「TBL102 - 顧客要望用途」テーブル（３４０）は顧客毎に連番により顧客が要望する用途情報の組合せとその優先度を保持する。
「TBL201 - 届出完了用途」（３５０）は届出が完了している用途の組合せを保持する。
【００２６】
「VTBL001 - 仮テーブル1」（４００）は「TBL102 - 顧客要望用途」から用途組合せの重複を除いたものを保持する。
「VTBL002 - 仮テーブル2」（４１０）は顧客要望に含まれる「Industry Category」「Type of article」の組合せと優先度を保持する。
「VTBL003 - 仮テーブル3」（４２０）は顧客要望に含まれる「Type of article」「Use Category」の組合せと優先度を保持する。
「VTBL004 - 仮テーブル4」（４３０）は顧客要望に含まれる「Industry Category」「Use Category」の組合せと優先度を保持する。
【００２７】
「VTBL102 - 仮テーブル2'」（４４０）は顧客要望に含まれる「Industry Category」「Type of article」の組合せと、そこに含まれない「Use Category」との組合せと優先度を保持する。
「VTBL103 - 仮テーブル3'」（４５０）は顧客要望に含まれる「Type of article」「Use Category」の組合せと、そこに含まれない「Industry Category」との組合せと優先度を保持する。
「VTBL104 - 仮テーブル4'」（４６０）は顧客要望に含まれる「Industry Category」「Use Category」の組合せと、「Type of article」との組合せと優先度を保持する。
「VTBL105 - 仮テーブル5'」（４７０）は顧客要望に登場する用途が組合せの中に二つ存在する組合せの全てとその優先度を保持する。ユーザが選択する可能性が高い組合せという位置付けであり、画面表示のベースとなる。
「VTBL107 - 仮テーブル7'」（４９０）は「TBL102 - 顧客要望用途」テーブル（３４０）の内容を用途組合せで集約し、顧客を横に列挙した表を保持する。画面表示のベースとなる。
【００２８】
図６は処理フローを示している。
具体的な処理内容を以下に示す。
【００２９】
「TBL102 - 顧客要望用途」テーブル（３４０）から「Industry Category」列（３４３）、「Type of article」列（３４４）、「Use Category」列（３４５）を全件抽出し、「VTBL001 - 仮テーブル1」（４００）に格納する。その際、「Industry Category」列（３４３）を昇順ソートキー1、「Type of article」列（２４４）を昇順ソートキー2、「Use Category」列（３４５）を昇順ソートキー3としてソートを行い、重複する行は削除する。例では[U1-005]-[U2-005]-[U3-005]の組合せが重複するため1行を残して重複行が削除される。
【００３０】
次に下記の処理で優先度計算を行う用途を絞込み、該当する二つの用途の組合せに対して優先度の計算を行う。
【００３１】
「VTBL001 - 仮テーブル1」（４００）から「Industry Category」列（４０１）、「Type of article」列（４０２）を全件数抽出し、「VTBL002 - 仮テーブル2」（４１０）に格納する。その際、Industry Category」列（４１１）を昇順ソートキー1、「Type of article」列（４１２）を昇順ソートキー2としてソートを行い、重複する行は削除する。例では[U1-002]-[U2-004]、[U1-005]-[U2-005]、[U1-010]-[U2-009]の組合せが重複するため1行を残して重複行が削除される。次に「VTBL002 - 仮テーブル2」（４１０）の全行について、「TBL001 - Industry Categoryマスタテーブル」（３００）の該当する「Industry Category」の優先度、「TBL002 - Type of articleマスタテーブル」（３１０）の該当する「Type of article」の優先度を抽出し、それらの積を「VTBL002 - 仮テーブル2」（４１０）の「優先度」列（４１３）に登録する。
【００３２】
「VTBL001 - 仮テーブル1」（４００）から「Type of article」列（４０２）、「Use Category」列（４０３）を全件数抽出し、「VTBL003 - 仮テーブル3」（４２０）に格納する。その際、「Type of article」列（４２１）を昇順ソートキー1、「Use Category」列（４２２）を昇順ソートキー2としてソートを行い、重複する行は削除する。例では重複する行がないため削除は行なわれない。次に「VTBL003 - 仮テーブル3」（４２０）の全行について、「TBL002 - Type of articleマスタテーブル」（３１０）の該当する「Type of article」の優先度と、「TBL003 - Use Categoryマスタテーブル」（３２０）の該当する優先度を抽出し、それらの積を「VTBL003 - 仮テーブル3」（４２０）の「優先度」列（４２３）に登録する。
【００３３】
「VTBL001 - 仮テーブル1」（４００）から、「Industry Category」列（４０１）、「Use Category」列（４０３）を全件数抽出し、「VTBL004 - 仮テーブル4」（４３０）に格納する。その際、「Industry Category」列（４３１）を昇順ソートキー1、「Use Category」列（４３２）を昇順ソートキー2としてソートを行い、重複する行は削除する。例では重複する行がないため削除は行なわれない。次に「VTBL004 - 仮テーブル4」（４３０）の全行について、「TBL001 - Industry Categoryマスタテーブル」（３００）の該当する「Industry Category」の優先度、「TBL003 - Use Categoryマスタテーブル」（３２０）の該当する優先度を抽出し、それらの積を「VTBL004 - 仮テーブル4」（４３０）の「優先度」列（４２３）に登録する。
【００３４】
次に下記の処理で三つの用途の組合せに対して優先度の計算を行う。
「VTBL002 - 仮テーブル2」（４１０）のm件目を抽出する。「TBL003 - Use Categoryマスタテーブル」（３２０）のn件目を抽出する。「VTBL002 - 仮テーブル2」（４１０）のm件目と「TBL003 - Use Categoryマスタテーブル」（３２０）のn件目を「VTBL102 - 仮テーブル2'」（４４０）の(最終行+1)行目に登録する。次に、「VTBL002 - 仮テーブル2」（４１０）のm件目の優先度、「TBL003 - Use Categoryマスタテーブル」（３２０）のn件目の優先度を抽出し、それらの積を「VTBL002 - 仮テーブル2」（４１０）の(最終行+1)行目の「優先度」（４１３）に登録する。
【００３５】
「VTBL003 - 仮テーブル3」（４２０）のm件目を抽出する。「TBL001 - Industry Categoryマスタテーブル」（３００）のn件目を抽出する。「VTBL003 - 仮テーブル3」（４２０）のm件目と「TBL001 - Industry Categoryマスタテーブル」（３００）のn件目を「VTBL103 - 仮テーブル3'」（４５０）の(最終行+1)行目に登録する。次に、「VTBL003 - 仮テーブル3」（４２０）のm件目の優先度、「TBL001 - Industry Categoryマスタテーブル」（３００）のn件目の優先度を抽出し、それらの積を「VTBL003 - 仮テーブル3」（４２０）の(最終行+1)行目の「優先度」（４２３）に登録する。
【００３６】
「VTBL004 - 仮テーブル4」（４３０）のm件目を抽出する。「TBL002 - Type of articleマスタテーブル」（３１０）のn件目を抽出する。「VTBL004 - 仮テーブル4」（４３０）のm件目と「TBL002 - Type of articleマスタテーブル」（３１０）のn件目を「VTBL104 - 仮テーブル4'」（４６０）の(最終行+1)行目に登録する。次に、「VTBL004 - 仮テーブル4」（４３０）のm件目の優先度、「TBL002 - Type of articleマスタテーブル」（３１０）のn件目の優先度を抽出し、それらの積を「VTBL004 - 仮テーブル4」（４３０）の(最終行+1)行目の「優先度」（４３３）に登録する。
【００３７】
上記の処理にて作成した、「VTBL102 - 仮テーブル2'」（４４０）、「VTBL103 - 仮テーブル3'」（４５０）、「VTBL104 - 仮テーブル4'」（４６０）の全件を抽出し、「VTBL105 - 仮テーブル5'」（４７０）に登録し、「優先度」（４７４）で降順ソートする。
次に下記の処理で届出完了フラグ以外の項目の画面表示を行う。
【００３８】
「TBL102 - 顧客要望用途」テーブル（３４０）を全件抽出し、「VTBL107 - 仮テーブル7'」（４９０）に登録し、「Industry Category」（４９２）を昇順ソートキー1、「Type of article」（４９３）を昇順ソートキー2、「Use Category」（４９４）を昇順ソートキー3としてソートを行う。次に「VTBL107 - 仮テーブル7'」（４９０）のm件目とm+1件目を抽出し、これら二行を比較し、「Industry Category」（４９２）、「Type of article」（４９３）、「Use Category」（４９４）の組合せが一致する場合、m+1件目の要求顧客をm件目の「要求顧客」（４９５）に追加登録する。これを「VTBL107 - 仮テーブル7'」（４９０）の全行に対して行う。次に「VTBL107 - 仮テーブル7'」（４９０）の情報を全て抽出し、画面に表示する。その際「優先度」（２２１）には固定文字列"必須"を設定する（２２１）。次に「VTBL105 - 仮テーブル5'」（４７０）の情報を全て抽出し、前処理で表示した最下行+1行目より画面に表示する。
【００３９】
次に下記の処理で届出完了フラグの画面表示を行う。
画面表示行のm件目を抽出する。次に「TBL201 - 届出完了用途」（３５０）のn件目を抽出する。これらを比較し、一致する場合、画面の届出完了欄に固定文字列"レ"を表示する（２２３）。
【図面の簡単な説明】
【００４０】
【図１】背景
【図２】ネットワーク構成図
【図３】本発明の実施例のシステム構成図
【図４−１】本発明の実施例の画面イメージ（届出状況管理画面）
【図４−２】本発明の実施例の画面イメージ（製品選択画面）
【図４−３】本発明の実施例の画面イメージ（Industry Categoryマスタ設定画面）
【図４−４】本発明の実施例の画面イメージ（Type of articleマスタ設定画面）
【図４−５】本発明の実施例の画面イメージ（Use Categoryマスタ設定画面）
【図５−１】本発明の実施例のデータベーステーブル１
【図５−２】本発明の実施例のデータベーステーブル２
【図５−３】本発明の実施例のデータベーステーブル３
【図６】本発明の実施例の処理フロー
【符号の説明】
【００４１】
１００  本実施例の背景説明図
１５０  ネットワーク構成図
１７０  システム構成図
２００  届出状況管理画面の構成部品
２７０  製品選択画面の構成部品
２４０  Industry Categoryマスタ設定画面の構成部品
２４８  Type of articleマスタ設定画面の構成部品
２５６  Use Categoryマスタ設定画面の構成部品
３００  TBL001 - Industry Categoryマスタテーブル
３１０  TBL002 - Type of articleマスタテーブル
３２０  TBL003 - Use Categoryマスタテーブル
３３０  TBL101 - 顧客テーブル
３４０  TBL102 - 顧客要望用途テーブル
３５０  TBL201 - 届出完了用途テーブル
４００  VTBL001 - 仮テーブル1
４１０  VTBL002 - 仮テーブル2
４２０  VTBL003 - 仮テーブル3
４３０  VTBL004 - 仮テーブル4
４４０  VTBL102 - 仮テーブル2'
４５０  VTBL103 - 仮テーブル3'
４６０  VTBL104 - 仮テーブル4'
４７０  VTBL105 - 仮テーブル5'
４９０  VTBL107 - 仮テーブル7'
６００  本発明の処理フロー図
【図１】
2010061327.tif 000003
【図２】
2010061327.tif 000004
【図３】
2010061327.tif 000005
【図４−１】
2010061327.tif 000006
【図４−２】
2010061327.tif 000007
【図４−３】
2010061327.tif 000008
【図４−４】
2010061327.tif 000009
【図４−５】
2010061327.tif 000010
【図５−１】
2010061327.tif 000011
【図５−２】
2010061327.tif 000012
【図５−３】
2010061327.tif 000013
【図６】
2010061327.tif 000014